【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  メタクリル酸メチルを含む一般式 
【化１】 
2002020215.tif 000001
（ｍ＋ｎ＝５０〜２０００）で表されるシリコーンのゲルを重合させたシリコーンゴム。
【請求項２】  メタクリル酸メチルを含む一般式 
【化２】 
2002020215.tif 000002
（ｍ＋ｎ＝５０〜２０００）で表されるシリコーンのゲルを重合させたシリコーンゴムであって、前記メタクリル酸メチルの重合物が前記シリコーンゴムの表面付近に配置される、上記シリコーンゴム。
【請求項３】  架橋剤、触媒及びメタクリル酸メチルを含む一般式
【化３】 
2002020215.tif 000003
（ｍ＋ｎ＝５０〜２０００）で表されるシリコーンのゲルを重合させたシリコーンゴム。
【請求項４】  前記シリコーンに対する前記メタクリル酸メチルの配合割合が０．０１〜０．０５容量％であることを特徴とする請求項１〜３のいずれか１項記載のシリコーンゴム。
【請求項５】  請求項１〜４のいずれか１項記載のシリコーンゴムをアクティベータに接着してなる酸素吸入器。
【請求項６】  請求項１〜４のいずれか１項記載のシリコーンゴムを便座に接着してなる便器。
【請求項７】  請求項１〜４のいずれか１項記載のシリコーンゴムを鼻かけに接着してなるメガネ。
【請求項８】  請求項１〜４のいずれか１項記載のシリコーンゴムを先端部に接着してなるヘアバンド。
【請求項９】  請求項１〜４のいずれか１項記載のシリコーンゴムを柄部に接着してなるハサミ。
【請求項１０】  請求項１〜４のいずれか１項記載のシリコーンゴムをグリップ部若しくはさじ部に接着してなるスプーン。
【請求項１１】  請求項１〜４のいずれか１項記載のシリコーンゴムを裏面に接着してなるボディスーツ。
【請求項１２】  請求項１〜４のいずれか１項記載のシリコーンゴムを義歯床の人体に装着する側の面の一部若しくは全部に裏装した義歯。
【請求項１３】  請求項１〜４のいずれか１項記載のシリコーンゴムを義歯床の人体に装着する側の面の一部若しくは全部に裏装した義歯であって、前記義歯床の面の一部又は全部の直上に前記シリコーンゴムが配置される、上記義歯。
【請求項１４】  請求項１〜４のいずれか１項記載のシリコーンゴムを、ポリメタクリル酸メチルからなる義歯床の人体に装着する側の面の一部若しくは全部に裏装した義歯であって、前記義歯床の面の一部又は全部の直上に前記シリコーンゴムが配置される、上記義歯。
【請求項１５】  請求項１〜４のいずれか１項記載のシリコーンゴムを、ポリメタクリル酸メチルからなる義歯床の人体に装着する側の面の一部若しくは全部に裏装した義歯であって、前記義歯床の面の一部又は全部の直上に前記シリコーンゴムが配置され且つ該シリコーンゴムが面と接触する側に前記メタクリル酸メチルの重合物が形成される、上記義歯。
【請求項１６】  生体用シリコーンゴムを義歯床の人体に装着する側の面に形成する義歯の製造方法であって、 前記義歯床を金型内に配置し、前記義歯床の前記面上にメタクリル酸メチルを含むシリコーンのゲルを流し込み、前記金型を圧力釜内で低温加熱して前記面に生体用シリコーンゴムを形成することを特徴とする義歯の製造方法。
【請求項１７】  生体用シリコーンゴムを、ポリメタクリル酸メチルからなる義歯床の人体に装着する側の面に形成する義歯の製造方法であって、
前記義歯床を金型内に配置し、前記義歯床の前記面上にメタクリル酸メチルを含むシリコーンのゲルを流し込み、前記金型を圧力釜内で低温加熱して前記面の一部又は全部の直上に生体用シリコーンゴムを形成することを特徴とする義歯の製造方法。
【請求項１８】  生体用シリコーンゴムを、ポリメタクリル酸メチルからなる義歯床の人体に装着する側の面に形成する義歯の製造方法であって、
前記義歯床を金型内に配置し、前記義歯床の前記面上にメタクリル酸メチルを含むシリコーンのゲルを流し込み、前記金型を圧力釜内で低温加熱して前記面の一部又は全部の直上に生体用シリコーンゴムが形成され且つ該シリコーンゴムが面と接触する側に前記メタクリル酸メチルの重合物が形成されることを特徴とする義歯の製造方法。
【請求項１９】  生体用シリコーンゴムを義歯床の人体に装着する側の面に形成する義歯の製造方法であって、
前記義歯床を金型内に配置し、前記義歯床の前記面上に架橋剤、触媒及びメタクリル酸メチルを含むシリコーンのゲルを流し込み、前記金型を圧力釜内で低温加熱して前記面に生体用シリコーンゴムを形成することを特徴とする義歯の製造方法。
【請求項２０】  前記シリコーンのゲルを流し込む前に、前記面にジクロロメタンを塗布しておくことを特徴とする請求項１６〜１９のいずれか１項記載の義歯の製造方法。
【請求項２１】  前記圧力釜内の圧力が２．５〜３．５気圧であることを特徴とする請求項１６〜２０のいずれか１項記載の義歯の製造方法。
【請求項２２】  義歯床の人体に装着する側の面上に所定の厚みでワックスを塗布する工程と、 上下に開輪するフラスコの一方に前記義歯床の前記面が露出するように前記義歯床を石膏で固定する工程と、
前記面を覆うように石膏を流し込むとともに、前記フラスコを閉じる工程と、 前記石膏が固まった後、前記フラスコを開輪する工程と、 前記ワックスを除去するとともに、前記面をジクロロメタンで処理する工程と、
メタクリル酸メチルを含むシリコーンのゲルを前記面に注ぐとともに、前記フラスコを閉じて圧力釜内に収容する工程と、 前記圧力釜内で前記フラスコを２．５〜３．５気圧の圧力下で一定時間加熱する工程と、
前記フラスコを開輪して石膏に埋没した前記義歯床を取り出す工程と、からなる義歯の製造方法。
【請求項２３】  義歯床の人体に装着する側の面上に所定の厚みでワックスを塗布する工程と、 上下に開輪するフラスコの一方に前記義歯床の前記面が露出するように前記義歯床を石膏で固定する工程と、
前記面を覆うように石膏を流し込むとともに、前記フラスコを閉じる工程と、 前記石膏が固まった後、前記フラスコを開輪する工程と、 前記ワックスを除去するとともに、前記面をジクロロメタンで処理する工程と、
メタクリル酸メチルを含むシリコーンのゲルを前記面に注ぐとともに、前記フラスコを閉じて圧力釜内に収容する工程と、 前記圧力釜内で前記フラスコを２．５〜３．５気圧の圧力下で一定時間加熱する工程と、
前記フラスコを開輪して石膏に埋没した前記義歯床を取り出す工程と、からなる義歯の製造方法であって、前記義歯床の人体に装着する側の面の一部又は全部の直上に生体用シリコーンゴムが形成される、上記方法。
【請求項２４】  義歯床の人体に装着する側の面上に所定の厚みでワックスを塗布する工程と、 上下に開輪するフラスコの一方に前記義歯床の前記面が露出するように前記義歯床を石膏で固定する工程と、
前記面を覆うように石膏を流し込むとともに、前記フラスコを閉じる工程と、 前記石膏が固まった後、前記フラスコを開輪する工程と、 前記ワックスを除去するとともに、前記面をジクロロメタンで処理する工程と、
メタクリル酸メチルを含むシリコーンのゲルを前記面に注ぐとともに、前記フラスコを閉じて圧力釜内に収容する工程と、 前記圧力釜内で前記フラスコを２．５〜３．５気圧の圧力下で一定時間加熱する工程と、
前記フラスコを開輪して石膏に埋没した前記義歯床を取り出す工程と、からなる義歯の製造方法であって、前記義歯床がポリメタクリル酸メチルからなり、前記義歯床の人体に装着する側の面の一部又は全部の直上に生体用シリコーンゴムが形成され且つ該シリコーンゴムが面と接触する側に前記メタクリル酸メチルの重合物が形成される、上記方法。
【請求項２５】  義歯床の人体に装着する側の面上に所定の厚みでワックスを塗布する工程と、 上下に開輪するフラスコの一方に前記義歯床の前記面が露出するように前記義歯床を石膏で固定する工程と、
前記面を覆うように石膏を流し込むとともに、前記フラスコを閉じる工程と、 前記石膏が固まった後、前記フラスコを開輪する工程と、 前記ワックスを除去するとともに、前記面をジクロロメタンで処理する工程と、
架橋剤、触媒及びメタクリル酸メチルを含むシリコーンのゲルを前記面に注ぐとともに、前記フラスコを閉じて圧力釜内に収容する工程と、 前記圧力釜内で前記フラスコを２．５〜３．５気圧の圧力下で一定時間加熱する工程と、
前記フラスコを開輪して石膏に埋没した前記義歯床を取り出す工程と、からなる義歯の製造方法。
【請求項２６】  前記シリコーンに対する前記メタクリル酸メチルの配合割合が０．０１〜０．０５容量％であることを特徴とする請求項２２〜２５のいずれか１項記載の義歯の製造方法。
【請求項２７】  請求項１〜４のいずれか１項記載のシリコーンゴムを基体に接着してなる物。